(57)【要約】【課題】光ディスクに情報を記録する際、多大なフォーマット時間要さず、かつランダムアクセスを伴う情報記録が可能なパーティションが大きなディスクを作成できる光ディスク記録方法及び記録装置を提供する。【解決手段】記録動作やフォーマット動作で光ディスクの論理領域を広げることができるオーバーライト可能な光ディスク記録方法において、ユーザによる記録指示があると、クイックフォーマットがなされたＤＶＤ−ＲＷディスクにパーティションが一杯になるまで記録を行い、一杯になったらフォーマット動作でパーティションを広げながら記録を行う（ステップ２４）。ユーザの停止指示により記録を停止し（ステップ２６）、次の動作指示があるまでの空き時間に、さらにパーティションを広げる（ステップ２７）。【選択図】        図７
2004171647.tif 000002
【特許請求の範囲】
【請求項１】
記録動作やフォーマット動作で光ディスクの論理領域を広げることができるオーバーライト可能な光ディスク記録方法において、前記光ディスクを使用しない空き時間に、前記論理領域を広げるフォーマット動作を行うことを特徴とする光ディスク記録方法。
【請求項２】
記録動作や再生動作の停止を行った後、イジェクト動作を行うかもしくは装置の電源を切るまでの間に、前記論理領域を広げるフォーマット動作を行うことを特徴とする請求項１記載の光ディスク記録方法。
【請求項３】
装置の電源を入れた後、次の動作の指示までの間に、前記論理領域を広げるフォーマット動作を行うことを特徴とする請求項１記載の光ディスク記録方法。
【請求項４】
請求項１乃至３記載のいずれかの光ディスク記録方法を実施することを特徴とする光ディスク記録装置。
【発明の詳細な説明】
【０００１】
【発明の属する技術分野】
本発明は、光ディスク記録方法及び記録装置に関し、さらに詳しくは、記録動作やフォーマット動作で論理領域を広げることができるオーバーライト可能な光ディスク記録方法及び該記録方法を実施する記録装置に関する。
【０００２】
【従来の技術】
ＣＤ−ＲＷやＤＶＤ−ＲＷといった記録可能な光ディスクでは、あらかじめディスクにグルーブと呼ばれる溝で形成されたトラックが螺旋状に構成されており、記録する際にはこの溝で形成されたトラックに沿ってディスク内周から外周に向かって情報が記録される。ここで、出荷された状態のディスクでは、トラック上には実質的に情報は記録されておらず、情報の入っていないグルーブが存在するのみである。
【０００３】
図１は、ＤＶＤ−ＲＷディスクに記録された情報の様子を示す図で、図１（Ａ）は出荷された状態（Ｅｍｐｔｙ状態）のＤＶＤ−ＲＷディスクを示し、図１（Ｂ）はフルフォーマットが行われたＤＶＤ−ＲＷディスクを示し、図１（Ｃ）はクイックフォーマットが行われたＤＶＤ−ＲＷディスクを示す。各図とも、螺旋状のグルーブをディスク内周からディスク外周まで直線状に引き伸ばして示している。
図１（Ａ）に示す出荷された状態のディスク（以下、エンプティ状態のディスクという）にはＲＦ信号が記録されていないため、ＲＦ信号を基にしたアドレスの検索やアクセスはできない。これを可能にし、エンプティ状態のディスクに情報を記録するには、情報記録前にまずフォーマット（Ｆｏｒｍａｔ：初期化）動作を行う。
【０００４】
フォーマット（Ｆｏｒｍａｔ）とは、記録マークによるＲＦ信号やアドレスを書き込むことで、記録マークによるトラックを作ることに相当し、フォーマットを行った領域ではＲＦ信号を基にしてアドレスの検索やアクセスが可能となる。
例えば、特許文献１の図１２には、フォーマットを行い、その後ユーザによる記録が行われた結果形成されるボリューム空間が開示されている。ボリューム空間にはパーティションと呼ばれる領域が設けられ、この領域にファイルやそれを管理しているファイルシステムが配置されている。
【０００５】
フォーマット動作は、ディスクの内周から外周に向けて連続的に行うようにすることが定められており、フォーマット済み領域では、ＲＦ信号が途切れることなく連続して存在することになる。このことがＣＤ−ＲＯＭディスクやＤＶＤ−ＲＯＭディスクと、ＣＤ−ＲＷディスクもしくはＤＶＤ−ＲＷディスクの互換を保つのに不可欠な構成となる。
つまり、ＲＯＭディスクでは、ディスク内周から外周にかけてプレピットが連続して構成されており、再生した際には、ＲＦ信号がディスク内周から外周にかけて途切れることなく連続して存在し、ＲＦ信号によるトラックを形成している。ＲＯＭディスク再生装置はこのＲＦ信号を基にしてトラッキングし、アドレスの検索やアクセスを行うわけである。
【０００６】
ＲＯＭディスク再生装置でＲ／ＲＷディスクを再生するには（換言すれば、ＲＯＭディスクとＲ／ＲＷディスクの互換をとるためには）、上述のようにディスク内周から外周にかけて途切れることなく連続して存在するアドレス情報の入ったＲＦ信号を記録しておくことが必須である。
【０００７】
以上がＣＤ−ＲＯＭディスクやＤＶＤ−ＲＯＭディスクにフォーマットを行う理由であるが、このフォーマット動作には、図１（Ｂ）に示すフルフォーマット（Ｆｕｌｌ  Ｆｏｒｍａｔ）と、図１（Ｃ）に示すクイックフォーマット（Ｑｕｉｃｋ  Ｆｏｒｍａｔ）の２種類が定義されている。
フルフォーマットでは、ディスク全面がフォーマットされるのに対し、クイックフォーマットでは、ディスク内周側の１部のみがフォーマットされる。映像ストリームやコンピュータ用のデータ等の情報は、論理的に記録される情報であり、これらはフォーマット済みの領域内に定義されるパーティションと呼ばれる領域、もしくはパーティションの先端からパーティションを広げながら外周に向かって記録することが許されている。このため、パーティション内に情報を記録する際にはランダムアクセスして情報記録を行うことが可能であるのに対し、パーティションを広げながら外周に向かって記録する際には、連続して情報を記録する必要が生じる。
【０００８】
つまり、フルフォーマットにおいては、ランダムアクセスして情報記録できるパーティションが大きいのに対し、クイックフォーマットにおいては、ランダムアクセスで情報記録できるパーティションが小さく、多くの情報はパーティションを広げながら連続して記録せねばならないという制限が生じることになる。
一方で、フルフォーマットを行うにはディスク全面にアドレス情報を含むＲＦ信号を記録する必要があるため、ユーザが記録したい情報を記録する前に多大なフォーマット時間を要し、使い勝手が悪くなる。これに対し、クイックフォーマットでは、ユーザが記録したい情報を記録する前に要するフォーマット時間は少なくてすむというメリットがある。
【０００９】
【特許文献１】
特開２００１−２４３１０７号公報（図１２）
【００１０】
【発明が解決しようとする課題】
前記したように、フルフォーマットを行うと、ランダムアクセスを伴う情報記録が可能なパーティションが大きく、記録動作そのものには自由度が大きく使い勝手がよいが、出荷状態のディスクに情報記録を行う前に多大なフォーマット時間を要するという問題がある。
【００１１】
一方、クイックフォーマットすると、ユーザがエンプティ状態のディスクに情報を記録する前のフォーマット時間は短くてすむが、パーティションが小さいため、ランダムアクセスを伴う記録が可能な領域が小さく、多くの情報はパーティションを広げながら連続して記録する必要が生じ、記録動作そのものに自由度が小さくなるという問題がある。
【００１２】
本発明は、出荷状態のディスクに情報を記録する際に、ユーザに多大なフォーマット時間を費やさせることなく、かつ、ランダムアクセスを伴う情報記録が可能なパーティションが大きなディスクを作成できる光ディスク記録方法及び該記録方法を実施する記録装置を提供するものである。
【００１３】
【課題を解決するための手段】
前記課題を解決するため、本発明は以下のような技術手段を講じた。
第１の技術手段の光ディスク記録方法は、記録動作やフォーマット動作で光ディスクの論理領域を広げることができるオーバーライト可能な光ディスク記録方法において、前記光ディスクを使用しない空き時間に、前記論理領域を広げるフォーマット動作を行うことを特徴とし、ユーザが光ディスクを使用しない空き時間に論理領域を広げるので、ユーザに時間を費やさせることなく、広いパーティションを有するディスクをフォーマットすることができる。
【００１４】
第２の技術手段の光ディスク記録方法は、第１の技術手段の光ディスク記録方法において、記録動作や再生動作の停止を行った後、イジェクト動作を行うかもしくは装置の電源を切るまでの間に、前記論理領域を広げるフォーマット動作を行うことを特徴とし、ユーザが光ディスクを使用しない、記録動作や再生動作の停止を行った後、装置の使用を終了するまでの間に、論理領域を広げるので、ユーザに時間を費やさせることなく、広いパーティションを有するディスクをフォーマットすることができる。
【００１５】
第３の技術手段の光ディスク記録方法は、第１の技術手段の光ディスク記録方法において、装置の電源を入れた後、次の動作の指示までの間に、前記論理領域を広げるフォーマット動作を行うことを特徴とし、ユーザが光ディスクを使用しない、装置の電源を入れた後、次の動作を指示するまでの間に最初に論理領域を広げるので、ユーザに時間を費やさせることなく、広いパーティションを有するディスクをフォーマットすることができる。
【００１６】
第４の技術手段の光ディスク記録装置は、第１乃至３の技術手段の光ディスク記録方法を実施する光ディスク記録装置であることを特徴とし、ユーザが光ディスク記録装置を使用しない空き時間を用いてパーティションを広げるので、広いパーティションを有するディスクをフォーマットすることができ、ディスク媒体が本来有しているランダムアクセスライトができる光ディスク記録装置を提供することができる。
【００１７】
【発明の実施の形態】
以下、本発明を適用した具体的な実施例について、図面を参照しながら詳細に説明する。
（比較例）
本発明との対比を容易にするため、比較例のＤＶＤ−ＲＷ記録装置を用いて、ＤＶＤ−ＲＷディスクに情報を記録した。
図２は、比較例及び本発明の実施例で用いたＤＶＤ−ＲＷ記録装置の概略図である。
比較例に用いたＤＶＤ−ＲＷ記録装置は、ＣＰＵ３によって制御されるスピンドルモータ５を回転させることでＤＶＤ−ＲＷディスク１を回転させ、光ピックアップ２によって記録された情報を読み取り（再生）、あるいは情報を記録する。ユーザとのインタフェースはモニタ４及び入力装置６によって行う。
【００１８】
ＤＶＤ−ＲＷ記録装置にエンプティ状態のＤＶＤ−ＲＷディスクが挿入されると、ディスクに記録を行う。
図３は、エンプティ状態のＤＶＤ−ＲＷディスに情報の記録を行う際、フォーマット形式を選択するまでの処理シーケンスを示すフロー図である。
つまり、ＤＶＤ−ＲＷ記録装置にフォーマット（初期化）されていないエンプティ状態のＤＶＤ−ＲＷディスクが挿入されると、まずＤＶＤ−ＲＷディスクがフォーマット（初期化）されていない状態にあることが判別される（ステップ１）。
そして、クイックフォーマットもしくはフルフォーマットが必要であることをモニタ画面に表示することでユーザに伝え（ステップ２）、ユーザによって指定されたフォーマット形式で（ステップ３）フォーマット動作を行った後、次の指示があるまで待機する（ステップ４、ステップ５）。
ここで、ユーザから記録の指示がくれば、情報の記録が行われる。
【００１９】
図４は、比較例で用いたＤＶＤ−ＲＷ記録装置の処理シーケンスを示すフロー図である。
例として、図３に示すフロー図のステップ４において、ＤＶＤ−ＲＷ記録装置がクイックフォーマット後の待機状態にある場合（ステップ１１）、情報を記録する指示がなされた場合（ステップ１２−記録）、ＤＶＤ−ＲＷ記録装置はパーティション内から記録を始め、パーティションが全て記録され一杯になったら、パーティションを広げながら記録を行う（ステップ１３）。記録の停止（ＳＴＯＰ）指示を受けた時点で（ステップ１４）、それまでの処理を中断し（ステップ１５）、次の指示があるまで待機する（ステップ１６）。
【００２０】
待機状態にある際（ステップ１１）、ＤＶＤ−ＲＷディスクから情報を読み出し、再生する指示がなされた場合（ステップ１２−再生）、指示されたアドレスを再生し（ステップ１７）、再生の停止指示を受けた時点で（ステップ１８）、それまでの処理を中断し（ステップ１５）、次の指示があるまで待機する（ステップ１６）。
【００２１】
待機状態にある際（ステップ１１）、ディスクを排出する指示がなされた場合（ステップ１２−Ｅｊｅｃｔ）、その時点でディスクを排出する（ステップ１９）。
【００２２】
図３に示すフロー図のステップ１において、ＤＶＤ−ＲＷ記録装置にクイックフォーマット済のディスクや、パーティションが途中まで広がっているディスクが挿入された場合（ステップ１−Ｎｏ）、別処理されることになるが（ステップ６）、パーティションの大きさを検知した後、次の指示まで待機することとなり、結局図４と同じ処理シーケンスで処理される。
【００２３】
このように、クイックフォーマットを行ったＤＶＤ−ＲＷディスクのようにパーティションが広がりきっていないディスクでは、パーティションを広げる際は、ユーザの指示する情報を記録しながら広げてゆくことになり、ランダムアクセスライトというディスク媒体が本来持っている特長を発揮できないことになり、次のような場合、顕著な欠点として表面化する。
【００２４】
図５は、フルフォーマットしたＤＶＤ−ＲＷディスクを示す図で、図５（Ａ）はディスクにキズがないことを示し、図５（Ｂ）はディスクにキズがあることを示し、図５（Ｃ）はディスクにキズがあってもそれを飛び越えて記録できることを示す図である。
図５（Ａ）のＤＶＤ−ＲＷディスクは、フルフォーマットして広いパーティションができている状態を示している。図５（Ｂ）は図５（Ａ）の状態のディスクに何らかの原因でキズができたことを示し、これにユーザが情報を記録すると、ディスク内周からキズの位置まで記録したところでキズにぶつかりトラッキングが外れる。キズの部位（トラッキングが外れる部位）を避けて、キズの外周側から次の記録を再開する。ランダムアクセスライトができると、図５（Ｃ）のようにキズを避けて記録することが可能となる。
【００２５】
図６は、クイックフォーマットしたＤＶＤ−ＲＷディスクを示す図で、図６（Ａ）はディスクにキズがないことを示し、図６（Ｂ）はディスクにキズがあることを示し、図５（Ｃ）はディスクにキズがあって、それを飛び越えて記録できないことを示す図である。
一方、図６（Ａ）に示すクイックフォーマットしたディスクに図６（Ｂ）に示すようなキズがあった場合、記録はキズの部位（トラッキングが外れる部位）までしかできず、図６（Ｃ）に示すようにその先に記録を進めることができなくなる。これは、ＤＶＤ−ＲＷディスクがディスク内周から外周にかけて、途切れることのない連続したＲＦ信号で書かれている必要があるという制限から起こるものである。図６（Ｃ）において、キズを飛び越えて記録しようとすると、途中にＲＦ信号のない部位が必ずできることになり、この場合、記録の継続が禁止される。
【００２６】
（実施例）
図７は、本発明の実施例で用いたＤＶＤ−ＲＷ記録装置に採用した処理シーケンスを示すフロー図である。
図７に示す処理シーケンスでは、ＤＶＤ−ＲＷ記録装置がＤＶＤ−ＲＷディスクにクイックフォーマットを行い、その後待機状態にあるとき、その待機状態においてもパーティションを広げる動作を行っている（ステップ２１）。このパーティションを広げる動作中にユーザの指示があれば（ステップ２２）、その指示の内容を判定する（ステップ２３）。
【００２７】
ユーザの指示が情報の記録である場合（ステップ２３−記録）、フォーマット済みのパーティション内から記録を始め、パーティションが一杯になったら、パーティションを広げながら記録を行う（ステップ２４）。
記録の停止（ＳＴＯＰ）指示を受けた時点で（ステップ２５）、動作を停止し（ステップ２６）、フォーマット動作を行ってパーティションを広げ（ステップ２７）、その最中にユーザからの何らかの指示があれば（ステップ２８）、どのような処理であるか判定し（ステップ２３）、処理を続ける。
【００２８】
ステップ２３において、ユーザの指示が情報の再生である場合（ステップ２３−再生）、指示されたアドレスを再生し（ステップ２９）、再生の停止指示を受けた時点で（ステップ３０）、動作を停止し（ステップ２６）、フォーマット動作を行ってパーティションを広げ（ステップ２７）、ユーザからの何らかの指示があれば（ステップ２８）、どのような指示であるか判定し（ステップ２３）、処理を続ける。
【００２９】
ステップ２３において、ディスクを排出する指示がなされた場合（ステップ２３−Ｅｊｅｃｔ）、その時点でディスクを排出する（ステップ３１）。
【００３０】
以上のように、図７に示す処理シーケンスでは、記録動作（ステップ２４）及び再生動作（ステップ２９）を停止（ステップ２６）した後、フォーマット動作を行ってパーティションを広げ（ステップ２７）、すなわちユーザの次の指示があるまで待機している部位で、パーティションを広げる動作を行っている。パーティションを広げる時に記録するのは、フォーマット時と同じくアドレス等の情報である。ユーザの指示があるまでの待機時には、ユーザが記録しようとする情報はないから、ユーザ情報としては適当なものにしておけばよく、例えば全て０を記録するようにしてもよい。
【００３１】
ユーザから何らかの指示があれば（ステップ２８−Ｙｅｓ）、パーティションを広げる動作を即座に中止し、指示された事項を実行する。これにより、ユーザに意識させることなく、パーティションが広がったディスクを作成できることとなり、結果としてクイックフォーマットを行ったディスクでも、記録時にはランダムアクセスライトできる領域が増えていることになる。
【００３２】
【発明の効果】
本発明の光ディスク記録方法によれば、ユーザからの指示を受けるまでの空き時間を用いてパーティションを広げるので、ユーザに時間を費やさせることなく、広いパーティションを有するディスクをフォーマットすることができる。これにより、ディスク媒体が本来有しているランダムアクセスライトが可能になる。
【図面の簡単な説明】
【図１】ＤＶＤ−ＲＷディスクに記録された情報の様子を示す図で、図１（Ａ）は、出荷された状態（Ｅｍｐｔｙ状態）のＤＶＤ−ＲＷディスクを示し、図１（Ｂ）は、フルフォーマットが行われたＤＶＤ−ＲＷディスクを示し、図１（Ｃ）は、フォーマットが行われたＤＶＤ−ＲＷディスクを示す。
【図２】比較例及び本発明の実施例で用いたＤＶＤ−ＲＷ記録装置の概略図である。
【図３】エンプティ状態のＤＶＤ−ＲＷディスに記録を行う際、フォーマット形式を選択するまでの処理シーケンスを示すフロー図である。
【図４】比較例で用いたＤＶＤ−ＲＷ記録装置の処理シーケンスを示すフロー図である。
【図５】フルフォーマットしたＤＶＤ−ＲＷディスクを示す図で、図５（Ａ）はディスクにキズがないことを示し、図５（Ｂ）はディスクにキズがあることを示し、図５（Ｃ）はディスクにキズがあってもそれを飛び越えて記録できることを示す図である。
【図６】クイックフォーマットしたＤＶＤ−ＲＷディスクを示す図で、図６（Ａ）はディスクにキズがないことを示し、図６（Ｂ）はディスクにキズがあることを示し、図５（Ｃ）はディスクにキズがあってもそれを飛び越えて記録できないことを示す図である。
【図７】本発明の実施例で用いたＤＶＤ−ＲＷ記録装置の処理シーケンスを示すフロー図である。
【符号の説明】
１…ディスク、２…光ピックアップ、３…ＣＰＵ、４…モニタ、５…スピンドルモータ、６…入力装置。
【図１】
2004171647.tif 000003
【図２】
2004171647.tif 000004
【図３】
2004171647.tif 000005
【図４】
2004171647.tif 000006
【図５】
2004171647.tif 000007
【図６】
2004171647.tif 000008
【図７】
2004171647.tif 000009